(57)【要約】      （修正有）【課題】テーブル天板、机天板、椅子の肘かけ天板および、食事器具や調理器具を清潔で、美しく、効率的、安全に使用するために、固定する装置および蓋を提供する。【解決手段】テーブル天板、机天板、椅子ひじかけ天板ａにほどこされた、上下に貫通した保持穴ｂ、または側面からの上下に貫通した切り込み部と上下に貫通した切り込み最深部の固定装置により、食品および食材に触れる作用部が、取っ手および柄よりも幅広な形の食事器具や調理器具を、上面の開口部に引っかけて保持し、固定する。その上下に貫通した保持穴ｂ、または側面からの上下に貫通した切り込み部と上下に貫通した切り込み最深部の形状は、円形、楕円形、多角形、ハート型、星型、音符型、衣類型、食物型、動物型、植物型、魚類型、波型の形状から選べる形状とする。使用しない時は蓋をすることもできる。【選択図】図１
2015202390.tif 000002
【特許請求の範囲】
【請求項１】
テーブル天板、机天板、椅子ひじかけ天板が、上下に貫通した保持穴、または側面からの上下に貫通した切り込み部と上下に貫通した切り込み最深部からなる形状に加工された固定装置であって、前述の固定装置は、食品および食材に触れる作用部が、取っ手および柄よりも幅広な形の食事器具や調理器具を、保持穴の上面から差し込み、または側面の上下に貫通した切り込み部からスライドし切り込み最深部に到達させ、食品および食材に触れる作用部が、取っ手および柄よりも幅広な形の食事器具や調理器具の、幅広の作用部の部分を、上面の開口部に引っかけて保持することを特徴とする固定装置である。
【請求項２】
請求項１に記載の固定装置であるところの、上下に貫通した保持穴、または側面からの上下に貫通した切り込み部と上下に貫通した切り込み最深部の形状が、円形、楕円形、多角形、ハート型、星型、音符型、衣類型、食物型、動物型、植物型、魚類型、波型から選ぶことができる形状を特徴とする天板である。
【請求項３】
請求項１に記載の固定装置であるところの、上下に貫通した保持穴、または側面からの上下に貫通した切り込み部と上下に貫通した切り込み最深部に対し、塞ぐことを特徴とする蓋である。
【発明の詳細な説明】
【技術分野】
【０００１】本発明は、テーブル天板、机天板、椅子ひじかけ天板の、固定装置とその蓋に関するものである。
【背景技術】
【０００２】従来より、物や身体、身体の一部を乗せ固定するためのテーブル天板、机天板、椅子ひじかけ天板がある。また映画館、列車のひじかけ天板には、ドリンクホルダーがある。そして特許文献にはタブレット型電子機器を収容する事ができる収納部およびタブレット型電子機器を差し込むことのできる開口部を持った、タブレット型電子機器を載置することが可能な天板部および天板部に装着された収納ボックスが発明されている。
【先行技術文献】
【特許文献】
【０００３】
【特許文献１】特開２０１３−１９８５１１
【発明の概要】
【発明が解決しようとする課題】
【０００４】前述の従来からあるテーブル天板、机天板、椅子ひじかけ天板では、食品および食材に触れる作用部が、取っ手および柄よりも幅広な形の食事器具や調理器具を置く際に、使用中の食事器具や調理器具を置くことで生じる天板の汚れ、また食器や調理器具の不衛生性、美観の減少、そして置くことによって生じる天板スペースが狭くなる事などの問題があった。またドリンクホルダーや、先行技術文献の収納ボックスは、内部にゴミが溜まることあり、その不衛生性が生じたり、清掃の手間がかかることがある。【０００５】食品および食材に触れる作用部が、取っ手および柄よりも幅広な形の食事器具や調理器具とは、スプーン、フォーク、しゃもじ、ヘラ、フライ返し、玉杓子、穴杓子、レードル、ターナー、スクレイパー、スパチュラ、などである。【０００６】また前述の食事器具や調理器具に、調理ばさみを加えてもよい。【０００７】そこで、本発明は、天板の形状を、食品および食材に触れる作用部が、取っ手および柄よりも幅広な形の食事器具や調理器具を固定できる形状にすることにより、食品および食材に触れる作用部が、取っ手および柄よりも幅広な形の食事器具や調理器具による天板への汚れを軽減し、食器や調理器具の不衛生性を回避し、美観の向上、また天板スペースの確保、安心した食事ができる事、また上下に貫通する事で、ホルダーや収納ボックスの内部にゴミが溜まることは回避され、衛生面での維持、清掃の手間の軽減を行うことができること、これらの環境面を向上させるを目的とする。【０００８】前述に加えて、固定装置の形状を変化させることで、食事する事と、食品および食材に触れる作用部が、取っ手および柄よりも幅広な形の食事器具や調理器具を使う事の楽しさを、引き出すことを目的とする。【０００９】また前述に加えて、固定装置を使用しない時は、蓋をする事で、さらなるスペースの確保ができる事を目的とする。
【課題を解決するための手段】
【００１０】前述の目的を達成するために、本発明は、テーブル天板、机天板が、穴、切り込み部、切り込み最深部の形状に加工された固定装置を要旨とする。すなわち、テーブル天板、机天板、椅子ひじかけ天板が、上下に貫通した保持穴、または側面からの上下に貫通した切り込み部と上下に貫通した切り込み最深部からなる形状に加工された固定装置であって、前述の固定装置は、食品および食材に触れる作用部が、取っ手および柄よりも幅広な形の食事器具や調理器具を、保持穴の上面から差し込み、または側面の上下に貫通した切り込み部からスライドし切り込み最深部に到達させ、食品および食材に触れる作用部が、取っ手および柄よりも幅広な形の食事器具や調理器具の、幅広の作用部の部分を、上面の開口部に引っかけて保持することを特徴とする固定装置である。これにより、本発明によれば、食器や調理器具を、穴や切り込み部、切り込み最深部に入れ、引っかけて固定する事ができる。【００１１】前述の目的を達成するために、本発明は、テーブル天板、机天板、椅子ひじかけ天板に、加工を施す上下に貫通した保持穴、または側面からの上下に貫通した切り込み部と上下に貫通した切り込み最深部の形状が、様々な形状を有する事を要旨とする。すなわち、前述の固定装置であるところの、上下に貫通した保持穴、または側面からの上下に貫通した切り込み部と上下に貫通した切り込み最深部の形状が、円形、楕円形、多角形、ハート型、星型、音符型、衣類型、食物型、動物型、植物型、魚類型、波型から選ぶことができる形状を特徴とする天板である。【００１２】前述の目的を達成するために、本発明は、固定装置を使用しない時は、蓋をする事も出来る。すなわち、前述の固定装置であるところの、上下に貫通した保持穴、または側面からの上下に貫通した切り込み部と上下に貫通した切り込み最深部に対し、塞ぐことを特徴とする蓋である。これにより、前述の固定装置に蓋をする事ができる。
【発明の効果】
【００１３】以上の説明から明らかなように、本発明は次に列挙する効果が得られる。【００１４】（１）食品および食材に触れる作用部が、取っ手および柄よりも幅広な形の食事器具や調理器具を固定する事により、食べ物等に触れる部分は空中に保たれ、テーブル天板、机天板、椅子ひじかけ天板の汚れを軽減することができる。【００１５】（２）食品および食材に触れる作用部が、取っ手および柄よりも幅広な形の食事器具や調理器具を固定する事により、食器の食べ物等に触れる部分は空中に保たれ、食品および食材に触れる作用部が、取っ手および柄よりも幅広な形の食事器具や調理器具不衛生性の回避をすることができる。【００１６】（３）食品および食材に触れる作用部が、取っ手および柄よりも幅広な形の食事器具や調理器具を固定する事により、食品および食材に触れる作用部が、取っ手および柄よりも幅広な形の食事器具や調理器具が定位置に保たれ、美観を向上することができる。【００１７】（４）食品および食材に触れる作用部が、取っ手および柄よりも幅広な形の食事器具や調理器具を固定する事により、落下防止の効果がある。【００１８】（５）食品および食材に触れる作用部が、取っ手および柄よりも幅広な形の食事器具や調理器具を固定する事により、食器や調理器具のテーブル天板、机天板、椅子ひじかけ天板に与える占有面積が減り、テーブル天板、机天板、椅子ひじかけ天板スペースの確保ができる。【００１９】（６）食品および食材に触れる作用部が、取っ手および柄よりも幅広な形の食事器具や調理器具を固定する事により、前述の効果がしめされ、安心して食事をすることができる。【００２０】（７）テーブル天板、机天板、椅子ひじかけ天板の、上下に貫通した保持穴、または側面からの上下に貫通した切り込み部と上下に貫通した切り込み最深部の形状を、円形および楕円形にさせることにより、食器を固定させる時、スムーズな出し入れが可能になる。【００２１】（８）テーブル天板、机天板、椅子ひじかけ天板の、上下に貫通した保持穴、または側面からの上下に貫通した切り込み部と上下に貫通した切り込み最深部の形状を、多角形にさせることにより、食品および食材に触れる作用部が、取っ手および柄よりも幅広な形の食事器具や調理器具を固定させる時、多角形の角で固定力を高める事ができる。【００２２】（９）テーブル天板、机天板、椅子ひじかけ天板の、上下に貫通した保持穴、または側面からの上下に貫通した切り込み部と上下に貫通した切り込み最深部の形状を、ハート型、星型、音符型、衣類型、食物型、動物型、植物型、魚類型、波型から選ぶことにより、食品および食材に触れる作用部が、取っ手および柄よりも幅広な形の食事器具や調理器具の使用感を楽しくさせる効果がある。【００２３】（１０）テーブル天板、机天板、椅子ひじかけ天板の、上下に貫通した保持穴、または側面からの上下に貫通した切り込み部と上下に貫通した切り込み最深部の形状を、ハート型、星型、音符型、衣類型、食物型、動物型、植物型、魚類型、波型から選ぶことにより前述の効果がしめされ、食事を楽しく行うことができる。【００２４】（１１）上下に貫通した保持穴、または側面からの上下に貫通した切り込み部と上下に貫通した切り込み最深部の形状により、食べこぼしやゴミを下に落とすことができ、衛生面での維持、清掃の手間の軽減での効果がある。
【図面の簡単な説明】
【００２５】
【図１】本発明を実施するための第１形態を示すテーブル天板、机天板、椅子ひじかけ天板の斜視図である。
【図２】本発明を実施するための第２形態を示すテーブル天板、机天板、椅子ひじかけ天板の斜視図である。
【発明を実施するための形態】
【００２６】以下、本発明の実施の形態を図に基づいて説明する。
【実施例１】
【００２７】図１は本発明の実施例１の斜視図であって、テーブル天板、机天板、椅子ひじかけ天板（ａ）、食品および食材に触れる作用部が、取っ手および柄よりも幅広な形の食事器具や調理器具（ｃ）を固定する上下に貫通した穴（ｂ）、食品および食材に触れる作用部が、取っ手および柄よりも幅広な形の食事器具や調理器具（ｃ）の、状態をしめしたものである。【００２８】上下に貫通した穴（ｂ）の形状は、上面が底面よりも面積が広い形状であってもよい。【００２９】上下に貫通した穴（ｂ）の形状は円形、楕円形、多角形、ハート型、星型、音符型、衣類型、食物型、動物型、植物型、魚類型、波型から選ぶことができる形状であってもよい。【００３０】上下に貫通した穴（ｂ）は使用しない時は蓋を設けてもよい。【００３１】上下に貫通した穴（ｂ）の蓋および上下に貫通した穴（ｂ）の周囲に、円形、楕円形、多角形、ハート型、星型、音符型、衣類型、食物型、動物型、植物型、魚類型、波型の図柄から選んで描写してもよい。
【実施例２】
【００３２】図２は本発明の実施例２の斜視図であって、テーブル天板、机天板、椅子ひじかけ天板（ｄ）、側面からの上下に貫通した切り込み部（ｅ）食品および食材に触れる作用部が、取っ手および柄よりも幅広な形の食事器具や調理器具（ｇ）を固定する切り込み最深部（ｆ）、食品および食材に触れる作用部が、取っ手および柄よりも幅広な形の食事器具や調理器具（ｇ）の、状態をしめしたものである。【００３３】側面からの上下に貫通した切り込み部（ｅ）の形状は、上面が底面よりも面積が広い形状であってもよい。【００３４】側面からの上下に貫通した切り込み部（ｅ）の形状は円形、楕円形、多角形、ハート型、星型、音符型、衣類型、食物型、動物型、植物型、魚類型、波型から選ぶことができる形状であってもよい。【００３５】側面からの上下に貫通した切り込み部（ｅ）は使用しない時は蓋を設けてもよい。【００３６】側面からの上下に貫通した切り込み部（ｅ）の蓋および切り込み部（ｅ）の周囲に、円形、楕円形、多角形、ハート型、星型、音符型、衣類型、食物型、動物型、植物型、魚類型、波型の図柄から選んで描写してもよい。【００３７】上下に貫通した切り込み部最深部（ｆ）の形状は、上面が底面よりも面積が広い形状であってもよい。【００３８】上下に貫通した切り込み最深部（ｆ）の形状は、円形、楕円形、多角形、ハート型、型、音符型、衣類型、食物型、動物型、植物型、魚類型、波型から選ぶことができる形状であってもよい。【００３９】上下に貫通した切り込み最深部（ｆ）は使用しない時は蓋を設けてもよい。【００４０】上下に貫通した切り込み最深部（ｆ）の蓋および上下に貫通した切り込み最深部（ｆ）の周囲に、円形、楕円形、多角形、ハート型、星型、音符型、衣類型、食物型、動物型、植物型、魚類型、波型の図柄から選んで描写してもよい。【００４１】切り込み部（ｅ）の形状は、上下に貫通した切り込み最深部（ｆ）の形状を含んだ形状であってもよい。
【産業上の利用可能性】
【００４２】本発明は、テーブル天板、机天板、椅子の肘かけ天板の固定装置を製造または、販売する産業で利用される。
【符号の説明】
【００４３】（ａ）テーブル天板、机天板、椅子ひじかけ天板
（ｂ）上下に貫通した穴
（ｃ）食品および食材に触れる作用部が、取っ手および柄よりも幅広な形の食事器具や調理器具
（ｄ）テーブル天板、机天板、椅子ひじかけ天板
（ｅ）側面からの上下に貫通した切り込み部
（ｆ）上下に貫通した切り込み最深部
（ｇ）食品および食材に触れる作用部が、取っ手および柄よりも幅広な形の食事器具や調理器具
【図１】
2015202390.tif 000003
【図２】
2015202390.tif 000004